(57)【要約】【課題】水を用いて建物を冷却する場合において建物を濡らすことを抑制することで、建物を濡らすことにより生じる不都合を抑制することができる建物冷却装置を提供する。【解決手段】建物の二階部分には、建物本体から屋外側に張り出すようにバルコニー２０が設けられている。バルコニー２０は、バルコニー床２１と、バルコニー床２１を囲むように立設されるルーバパネル２２とを備えている。ルーバパネル２２は複数の支柱４１と、上下に複数設けられたスラット４２とを備えている。ルーバパネル２２の噴霧スラット４２ａには、ルーバパネル２２から外壁部側に霧状の水を噴霧する噴霧ノズル５２が複数設けられている。各噴霧ノズル５２には給水配管５３が接続されている。給水配管５３には給水ポンプ５１が設けられ、給水ポンプ５１により給水配管５３を介して各噴霧ノズル５２に水が供給されると、各噴霧ノズル５２より外壁部側に水が噴霧される。【選択図】図３
2011127295.tif 000002
【特許請求の範囲】
【請求項１】
外壁部から屋外側に離間して設けられ複数の通気開口部を有する空間仕切体を備え、前記通気開口部を通じて前記外壁部と前記空間仕切体との間の空間部に対する通気を可能とした建物に適用され、
前記空間仕切体に設けられ、当該空間仕切体から霧状の水を噴出させる噴霧手段を備えることを特徴とする建物冷却装置。
【請求項２】
前記外壁部には、前記空間仕切体と対向して建物開口部が設けられており、
前記噴霧手段は、前記外壁部に向けて水を噴霧することを特徴とする請求項１に記載の建物冷却装置。
【請求項３】
前記噴霧手段により噴霧される水の粒径を調整する粒径調整手段と、
屋外の温度を検知する屋外温検知手段と、
前記屋外温検知手段により検知された屋外の温度に基づいて、前記噴霧手段より噴霧される水の粒径を調整するよう前記粒径調整手段を制御する粒径制御手段と、
を備えること特徴とする請求項１又は２に記載の建物冷却装置。
【請求項４】
前記空間仕切体の前記通気開口部を通じて前記外壁部側に向かって流れる風の風量を検知する風量検知手段を備え、
前記粒径制御手段は、前記風量検知手段により検知された風の風量に基づいて、前記噴霧手段より噴霧される水の粒径を調整するよう前記粒径調整手段を制御することを特徴とする請求項３に記載の建物冷却装置。
【請求項５】
前記噴霧手段による水の噴出方向を変更する変更手段を備えていることを特徴とする請求項１乃至４のいずれか一項に記載の建物冷却装置。
【請求項６】
前記空間仕切体の前記通気開口部を通じて前記外壁部側に流れる風の風量を検知する風量検知手段と、
前記風量検知手段により検知された風量が所定以上になった場合に、前記噴霧手段による水の噴霧を実施する噴霧制御手段と、
を備えることを特徴とする請求項１乃至５のいずれか一項に記載の建物冷却装置。
【請求項７】
前記外壁部には、前記空間仕切体と対向して建物開口部が設けられ、
前記建物開口部に隣接する屋内空間の温度を検知する屋内温検知手段と、
前記屋内温検知手段により検知された屋内空間の温度が所定温度以上になった場合に、前記噴霧手段による水の噴霧を実施する噴霧制御手段と、
を備えることを特徴とする請求項１乃至６のいずれか一項に記載の建物冷却装置。
【請求項８】
前記外壁部には、前記空間仕切体と対向して建物開口部が設けられ、
前記建物開口部に設けられ当該建物開口部を開閉する開閉部材と、
前記開閉部材を開閉駆動する開閉駆動手段と、
前記建物開口部に隣接する屋内空間に人が存在することを検知する人検知手段と、
前記屋内空間の温度を検知する屋内温検知手段と、
前記人検知手段により人が検知され、かつ、前記屋内温検知手段により検知された屋内空間の温度が所定温度以上になった場合に、前記開閉部材を開くよう前記開閉駆動手段を制御するとともに前記噴霧手段による水の噴霧を実施するよう制御する噴霧制御手段と、
を備えることを特徴とする請求項１乃至７のいずれか一項に記載の建物冷却装置。
【発明の詳細な説明】
【技術分野】
【０００１】
本発明は、建物冷却装置に関する。
【背景技術】
【０００２】
従来より、屋外側から建物に散水することによって建物を冷却する技術が知られている。例えば、特許文献１には、建物から離れた位置に上方に延びる給水配管を立設し、その給水配管の上端部に屋根の棟部の上方に向けて水を放出する噴射ノズルを設けた構成が開示されている。これによれば、噴射ノズルより放水された水が屋根の棟部から屋根面を流れ落ちる間に気化されるため、その気化熱により屋根を冷却することができ、ひいては建物を冷却することができる。
【先行技術文献】
【特許文献】
【０００３】
【特許文献１】特開２００６−７７４１０号公報
【発明の概要】
【発明が解決しようとする課題】
【０００４】
しかしながら、上記特許文献１の技術では、屋根に散水された水のうち屋根面を流れ落ちる間に気化されなかった水については屋根から下方に滴ることが考えられる。この場合、その滴った水によって居住者等が濡れるといった不都合を招くおそれがある。
【０００５】
また、屋根面において気化されなかった水が屋根から外壁部（の外壁面）に伝わり外壁部を濡らすことも考えられる。この場合、外壁部が濡れることで水あかやゴミ等が付着したりするため好ましくない。しかも、この場合外壁部を伝う水が外壁部に設けられた窓部を通じて建物内に入り込み居室等を濡らすおそれもある。
【０００６】
本発明は、上記事情に鑑みてなされたものであり、水を用いて建物を冷却する場合において建物を濡らすことを抑制することで、建物を濡らすことにより生じる不都合を抑制することができる建物冷却装置を提供することを主たる目的とするものである。
【課題を解決するための手段】
【０００７】
上記課題を解決すべく、第１の発明の建物冷却装置は、外壁部から屋外側に離間して設けられ複数の通気開口部を有する空間仕切体を備え、前記通気開口部を通じて前記外壁部と前記空間仕切体との間の空間部に対する通気を可能とした建物に適用され、前記空間仕切体に設けられ、当該空間仕切体から霧状の水を噴出させる噴霧手段を備えることを特徴とする。
【０００８】
本発明によれば、空間仕切体から噴霧手段により霧状の水を噴出させることにより、建物の外壁部付近で霧状の水が気化して外気が冷却される。こうして建物の外壁部周辺での外気の冷却を図ることにより、建物の冷却が可能となる。また、外壁部から離間して設けられた空間仕切体から水を噴霧させる構成であるため、噴霧された水を外壁部に到達させる前に気化させることができる。したがって、この場合建物に直接水をかけることなく建物を冷却することができる。これにより、水を用いて建物を冷却する場合において建物を濡らすことを抑制することができ、その結果建物を濡らすことにより生じる不都合の抑制を図ることができる。
【０００９】
また、この場合、空間仕切体から外壁部に向けて霧状の水を噴出する構成とすれば、外壁部により近い位置で外気を冷却することができ、建物の冷却効果を高めることができる。
【００１０】
第２の発明の建物冷却装置は、第１の発明において、前記外壁部には、前記空間仕切体と対向して建物開口部が設けられており、前記噴霧手段は、前記外壁部に向けて水を噴霧することを特徴とする。
【００１１】
本発明によれば、空間仕切体から外壁部に向けて霧状の水が噴出されるため、外壁部周辺の外気が冷却される。そして、外壁部には建物開口部が空間仕切体と対向して設けられているため、空間仕切体の通気開口部を通じて外壁部側に流れる風によりその冷やされた外気を建物開口部を通じて建物内に取り込むことができる。これにより、建物内を涼しくすることができる。
【００１２】
また、建物の外壁部から離間した位置に設けられた空間仕切体から水が噴霧されるため、建物開口部に向かって水が噴霧された場合でも、噴霧された水が建物開口部を通じて建物内に入り込む前に水を気化させることができる。これにより、噴霧した水により建物内が濡れるといった不都合を抑制することができる。よって以上より、建物内が濡れる等の不都合を抑制しつつ建物内を涼しくすることができる。
【００１３】
第３の発明の建物冷却装置は、第１又は第２の発明において、前記噴霧手段により噴霧される水の粒径を調整する粒径調整手段と、屋外の温度を検知する屋外温検知手段と、前記屋外温検知手段により検知された屋外の温度に基づいて、前記噴霧手段より噴霧される水の粒径を調整するよう前記粒径調整手段を制御する粒径制御手段と、を備えることを特徴とする。
【００１４】
外壁部に向けて霧状の水を噴出させる場合において、外壁部を濡らさずかつ外壁部での冷却効率を高めるには、できるだけ外壁部近くで水の気化が完了する状態にするのが望ましい。この場合、霧状の水の気化に要する時間は、水の粒径と屋外の温度とに依存すると考えられる。この点、本発明によれば、屋外の温度に応じて噴霧手段より噴霧される水の粒径が調整されるため、例えば屋外の温度が比較的低く噴霧された水が気化しにくい場合には水の粒径を小さくすることで気化を促進させたり、屋外の温度が比較的高く噴霧された水が気化し易い場合には、水の粒径を大きくすることで気化を抑制したりすることができる。これにより、屋外の温度にかかわらず霧状の水の気化に要する時間を一定にすることができるため、外壁部近くで水の気化を完了させることができる。よって、この場合、屋外の温度にかかわらず外壁部を濡らさずに外壁部での冷却効率を高めることができる。
【００１５】
第４の発明の建物冷却装置は、第３の発明において、前記空間仕切体の前記通気開口部を通じて前記外壁部側に向かって流れる風の風量を検知する風量検知手段を備え、前記粒径制御手段は、前記風量検知手段により検知された風の風量に基づいて、前記噴霧手段より噴霧される水の粒径を調整するよう前記粒径調整手段を制御することを特徴とする。
【００１６】
外壁部に向けて霧状の水を噴出させる場合において、外壁部を濡らさずかつ外壁部での冷却効率を高めるには、できるだけ外壁部近くで水の気化が完了する状態にするのが望ましい。ここで、噴霧手段より噴出された水が外壁部に到達するまでの所要時間は通気開口部を通じて外壁部側に向かって流れる風の風量（換言すれば風速）に依存して変化する。この場合、風量が大きいと上記所要時間が短くなるため、気化に要する時間を短くする必要がある。一方、風量が小さいと上記所要時間が長くなるため、気化に要する時間を長くする必要がある。その点、本発明では、外壁部側に向かって吹く風の風量に応じて水の粒径を調整する構成としたため、例えば風量が大きい場合には水の粒径を小さくすることで気化を促進させ気化時間を短くしたり、風量が小さい場合には水の粒径を大きくすることで気化を抑制し気化時間を長くしたりすることができる。これにより、風の風量にかかわらず噴霧した水の気化を外壁部の近くで完了させることができるため、風量にかかわらず外壁部を濡らさずに外壁部での冷却効率を高めることができる。
【００１７】
第５の発明の建物冷却装置は、第１乃至第４のいずれかの発明において、前記噴霧手段による水の噴出方向を変更する変更手段を備えていることを特徴とする。
【００１８】
水を噴霧する向きを変更する場合、その噴霧方向直線上における空間仕切体の噴霧位置と外壁部との距離に差ができる。つまり、噴霧の向きを変更することで、空間仕切体から噴出された水が外壁部に到達するまでの所要時間が変わり、換言すれば外壁部を濡らさない前提の上での気化の所要時間が変わることとなる。この場合、例えば噴霧方向直線上における空間仕切体の噴霧位置と外壁部との距離を大きくすれば、気化の所要時間が長くなってもよいこととなる。したがって、気化冷却の効率を高めるべく水の粒径を大きくしたとしても外壁部が濡れる等の不都合を防止することができる。
【００１９】
第６の発明の建物冷却装置は、第１乃至第５のいずれかの発明において、前記空間仕切体の前記通気開口部を通じて前記外壁部側に向かって流れる風の風量を検知する風量検知手段と、前記風量検知手段により検知された風量が所定以上になった場合に、前記噴霧手段による水の噴霧を実施する噴霧制御手段と、を備えることを特徴とする。
【００２０】
本発明によれば、空間仕切体の通気開口部を通じて外壁部側に向かって吹く風が所定以上である場合に水の噴霧が行われる。これにより、例えば空間仕切体から噴霧された水を外壁部側に流れる風により外壁部周辺に到達させ同外壁部周辺で気化させることが可能な場合に、つまりは建物側の冷却が可能な場合に水の噴霧が自動で行われるため、建物を冷却するにあたって利便性を高めることができる。
【００２１】
第７の発明の建物冷却装置は、第１乃至第６のいずれかの発明において、前記外壁部には、前記空間仕切体と対向して建物開口部が設けられ、前記建物開口部に隣接する屋内空間の温度を検知する屋内温検知手段と、前記屋内温検知手段により検知された屋内空間の温度が所定温度以上になった場合に、前記噴霧手段による水の噴霧を実施する噴霧制御手段と、を備えることを特徴とする。
【００２２】
本発明によれば、建物開口部に隣接する屋内空間の温度が所定温度以上になった場合に、噴霧手段による水の噴霧が自動で行われるため、屋内空間を冷却するにあたって利便性を高めることができる。
【００２３】
第８の発明の建物冷却装置は、第１乃至第７のいずれかの発明において、前記外壁部には、前記空間仕切体と対向して建物開口部が設けられ、前記建物開口部に設けられ当該建物開口部を開閉する開閉部材と、前記開閉部材を開閉駆動する開閉駆動手段と、前記建物開口部に隣接する屋内空間に人が存在することを検知する人検知手段と、前記屋内空間の温度を検知する屋内温検知手段と、前記人検知手段により人が検知され、かつ、前記屋内温検知手段により検知された屋内空間の温度が所定温度以上になった場合に、前記開閉部材を開くよう前記開閉駆動手段を制御するとともに前記噴霧手段による水の噴霧を実施するよう制御する噴霧制御手段と、を備えることを特徴とする。
【００２４】
本発明によれば、建物開口部に隣接する屋内空間に人（例えば居住者）がいる場合に屋内空間が所定温度以上になると、自動で開閉部材が開いて建物開口部が開放されるとともに噴霧手段による水の噴霧が開始される。そのため、屋内空間を冷却するに際し利便性の向上を図ることができる。
【図面の簡単な説明】
【００２５】
【図１】建物の概略を示す縦断面図。
【図２】ルーバパネル周辺の構成を示す縦断面図。
【図３】ルーバパネルをバルコニー側から見た図。
【図４】噴霧ノズル周辺の構成を示す斜視図。
【図５】噴霧制御処理を示すフローチャート。
【図６】スラット角度が調整可能なルーバパネル周辺の構成を示す縦断面図。
【図７】別例におけるルーバパネル周辺の構成を示す縦断面図。
【発明を実施するための形態】
【００２６】
以下に、本発明を具体化した一実施の形態について図面を参照しつつ説明する。なお、図１は建物の概略を示す縦断面図である。
【００２７】
図１に示すように、建物１０は、建物本体１１と、その建物本体１１の上方に形成された屋根１２とを備えている。建物本体１１は、一階部分１３と二階部分１４とを有してなる二階建て建物である。建物１０の一階部分１３には第一居室１５等が形成され、同二階部分１４には第二居室１６等が形成されている。
【００２８】
建物１０の二階部分１４には、建物本体１１から屋外側に張り出すようにしてバルコニー２０が設けられている。バルコニー２０は、第二居室１６と隣接して設けられており、外壁部１７により第二居室１６と仕切られている。外壁部１７には、バルコニー２０へ出入りするための窓部（例えば掃き出し窓）１８が設けられ、窓部１８には当該窓部１８を開閉するガラス戸１９が設けられている。
【００２９】
バルコニー２０は、床部を構成するバルコニー床２１と、バルコニー床２１を囲むように立設される腰壁としてのルーバパネル２２とを備えている。バルコニー床２１とルーバパネル２２とにより囲まれる空間はバルコニー空間ＢＳとなっている。
【００３０】
次に、ルーバパネル２２周辺の構成について図２及び図３に基づいて説明する。なお、図２は、ルーバパネル２２周辺の構成を示す縦断面図であり、図３はルーバパネル２２をバルコニー空間ＢＳ側から見た図である。また、図２及び図３では、外壁部１７（窓部１８）と対面して設けられたルーバパネル２２を対象として図示している。
【００３１】
図２に示すように、バルコニー床２１の下方には、バルコニー床２１（ひいてはバルコニー２０）を下方から支持するバルコニー床梁２５が複数設けられている。具体的には、バルコニー床梁２５として、バルコニー床２１の屋外側（外壁部１７から離間した側の）端縁部に沿って延びるバルコニー床梁２５ａと、バルコニー床梁２５ａと外壁部１７との間に掛け渡されたバルコニー床梁２５ｂとが設けられており、それらバルコニー床梁２５ａ，２５ｂ同士がブラケット２９を介して溶接等により連結されている。バルコニー床梁２５の上面には、ＡＬＣ床等からなる床下地材２６が設けられ、床下地材２６上には発砲ポリスチレン樹脂等からなる断熱材２７が敷設されている。また、断熱材２７上には、耐水皮膜（例えば塩化ビニル膜）が施された鋼板からなる防水板２８が敷設されている。
【００３２】
バルコニー床梁２５ａには、一階部分１３に設けられた下階外壁パネル３１の上端部がＬ字状の固定金具３２により固定されており、下階外壁パネル３１の上方に設けられたバルコニー外壁パネル３５が同様にＬ字状の固定金具３９により固定されている。バルコニー外壁パネル３５は、外壁面を形成する外壁板３６と、バルコニー空間ＢＳ側面を形成するバルコニー内板３７と、これら外壁板３６及びバルコニー内板３７の間に設けられ両部材３６，３７を支持するフレーム３８とを備えている。フレーム３８は、断面コ字状の軽量鉄骨材からなる複数のフレーム材が矩形枠状に連結されることで構成されている。
【００３３】
図２及び図３に示すように、バルコニー外壁パネル３５の上方には、同パネル３５に沿って空間仕切体としてのルーバパネル２２が設けられている。ルーバパネル２２は、所定間隔で立設された複数の支柱４１と、これら各支柱４１に跨って上下に複数設けられたスラット４２と、各支柱４１の上端部に跨って設けられた手摺４３とを備えている。支柱４１は、バルコニー外壁パネル３５のフレーム３８（詳細には外壁板３６の上端部に沿って設けられたフレーム材）上に設けられた平板状の柱脚プレート４５と、柱脚プレート４５から上方に延びる支柱本体４６とを備えている。柱脚プレート４５は、バルコニー外壁パネル３５のフレーム３８の上面にボルト等により固定されている。これにより、支柱４１が、ひいてはルーバパネル２２が建物１０に対して固定されている。また、支柱本体４６は、四角筒状の角形鋼よりなる。
【００３４】
スラット４２は、四角筒状をなす長尺部材により形成されており、支柱４１に対して直交する方向に延びるように設けられている。各スラット４２は、上下に所定間隔をおいて並べられており、支柱４１と交差する部位で支柱４１に対し溶接等により固定されている。隣り合う各スラット４２の間には所定の隙間（以下、スラット間隙間４７という）が形成されている。そのため、このスラット間隙間４７を通じて通気が可能となっており、スラット間隙間４７を通じてバルコニー空間ＢＳ側に風を取り込み、さらに窓部１８を介して第二居室１６にも取り込むことが可能となっている。なおここで、スラット間隙間４７が通気開口部に相当する。
【００３５】
ところで、本実施形態の建物１０には、ルーバパネル２２から霧状の水を噴霧するための建物冷却装置５０が設けられている。本実施形態では、この建物冷却装置５０によりバルコニー空間ＢＳ側に向かって水を噴霧することで、噴霧された水が気化する際の気化熱によりバルコニー２０内の外気を冷やすこととしている。そして、その冷えた外気をルーバパネル２２のスラット間隙間４７を通じてバルコニー空間ＢＳ側に向かって吹く風により第二居室１６内に取り込むようにしている。本実施形態はその点に特徴を有しており、以下その詳細を図２及び図３に加え図４を参照しつつ説明する。なお、図４は噴霧ノズル周辺の構成を示す斜視図である。
【００３６】
図３に示すように、建物冷却装置５０は、ダイアフラムポンプ等からなる給水ポンプ５１と、ルーバパネル２２に設けられ水を噴霧する複数の噴霧ノズル５２とを備えている。本建物冷却装置５０は、給水ポンプ５１により給水配管５３を介して各噴霧ノズル５２に水を供給することで、各噴霧ノズル５２より水を噴霧する構成となっている。
【００３７】
給水ポンプ５１は、例えばバルコニー２０のバルコニー床２１上に設置されており、その吸入側（上流側）には水道配管５４が接続されている。給水ポンプ５１の吐出側（下流側）には、給水配管５３が接続されている。給水ポンプ５１は、水道配管５４から供給された水（水道水）を所定の給水圧で給水配管５３を介して噴霧ノズル５２に供給する。また、給水ポンプ５１は、上記給水圧が調整可能となっている。
【００３８】
給水配管５３は、上流側端部が給水ポンプ５１に接続された主配管５３ａと、主配管５３ａから分岐された複数の分岐配管５３ｂとを有している。主配管５３ａには、分岐配管５３ｂとの接続部位（詳細には最も上流側の接続部位）よりも上流側に開閉バルブ５５が設けられている。開閉バルブ５５は、主配管５３ａ内を流れる水の流通を許可又は禁止するものであり、電気的な操作により開閉動作を行う。
【００３９】
主配管５３ａは、ルーバパネル２２の支柱４１の下端部に設けられた孔部（図示略）より支柱本体４６内に入るとともに、同支柱本体４６内にて上方に向かって延びている。主配管５３ａから分岐された各分岐配管５３ｂはそれぞれ、ルーバパネル２２の各スラット４２のうち所定のスラット４２（以下、このスラット４２を噴霧スラット４２ａという。）に沿って同じ側に延びている。詳細には、支柱４１と噴霧スラット４２ａとの交差部には、支柱４１の内部と噴霧スラット４２ａの内部とを連通する連通口（図示略）が設けられており、分岐配管５３ｂはその連通口を通じて噴霧スラット４２ａ内に入り込み、噴霧スラット４２ａ内において同スラット４２ａに沿って延びている（図４参照）。
【００４０】
なお、上下に複数並べられたスラット４２群において噴霧スラット４２ａは所定個数おきに設けられており、例えば図３では３個おきに設けられている。
【００４１】
噴霧ノズル５２は、ルーバパネル２２の各噴霧スラット４２ａにおいてそれぞれ複数ずつ設けられている。各噴霧スラット４２ａにおいてそれら複数の各噴霧ノズル５２はそれぞれ各々の噴霧スラット４２ａの延びる方向に沿って所定間隔ごとに配置されている。また、各噴霧ノズル５２は、バルコニー空間ＢＳを挟んで窓部１８と対面する位置に設けられている。
【００４２】
噴霧ノズル５２は、バルコニー空間ＢＳ側に向かって霧状の水を噴霧するものであり、例えば一流体ノズルにより構成されている。噴霧スラット４２ａに設けられた各噴霧ノズル５２はそれぞれ、同噴霧スラット４２ａに設けられた分岐配管５３ｂに接続されている。したがって、各噴霧ノズル５２には、給水ポンプ５１により給水配管５３（つまり主配管５３ａ及び分岐配管５３ｂ）を介して水が供給され、これにより各噴霧ノズル５２より水が噴霧されるようになっている。
【００４３】
噴霧ノズル５２は、噴霧スラット４２ａにおいてその噴出口５６をバルコニー空間ＢＳ側に向けて設けられている。具体的には、図４に示すように、噴霧スラット４２ａのバルコニー空間ＢＳ側面には、各噴霧ノズル５２の噴出口５６に合わせて開口部６２が設けられており、その開口部６２を通じて噴霧ノズル５２より水がバルコニー空間ＢＳ側に噴霧されるようになっている。
【００４４】
また、本実施形態では、給水ポンプ５１による水の供給圧を調整することで、噴霧ノズル５２より噴霧される水の粒径を調整できるようになっている。具体的には、水の供給圧が高いほど水の粒径が小さくなるように調整される。
【００４５】
ここで、上記構成において、開閉バルブ５５が開状態とされるとともに給水ポンプ５１が駆動されると、各噴霧ノズル５２には給水配管５３を通じて水が供給される。これにより、各噴霧ノズル５２より霧状の水がバルコニー空間ＢＳ側に噴霧され、噴霧された水がバルコニー空間ＢＳにおいて気化される。この場合、水の気化熱によってバルコニー空間ＢＳの外気が冷やされる。そして、その冷やされた外気がルーバパネル２２のスラット間隙間４７を通じてバルコニー空間ＢＳ側に流れる風とともに窓部１８を介して第二居室１６内に取り込まれる。これにより、第二居室１６がその取り込まれた冷気によって冷やされる。
【００４６】
一方、開閉バルブ５５が閉状態とされるとともに給水ポンプ５１の駆動が停止されると、各噴霧ノズル５２への水の供給が停止される。これにより、噴霧ノズル５２による水の噴霧が停止される。
【００４７】
図１の説明に戻り、第二居室１６には、屋内温検知手段としての居室温センサ５７が設けられている。居室温センサ５７は、第二居室１６の温度を検知するセンサであり、例えば第二居室１６の内壁面に設けられている。屋外には、屋外温検知手段としての屋外温センサ５８が設けられている。屋外温センサ５８は、屋外の温度を検知するセンサであり、例えば外壁部１７の屋外面に設けられている。
【００４８】
バルコニー２０には、風量検知手段としての風量センサ５９が設けられている。風量センサ５９は、ルーバパネル２２のスラット間隙間４７を通じてバルコニー空間ＢＳ（窓部１８）側に向かって流れる風の風量を検知するセンサであり、例えばルーバパネル２２（詳細にはスラット４２）のバルコニー空間ＢＳ側面に設けられている。
【００４９】
次に、本建物冷却装置５０の電気的構成について図３に基づいて説明する。
【００５０】
建物１０には、制御手段としてのコントローラ６０が設けられている。コントローラ６０は、ＣＰＵ等を有する周知のマイクロコンピュータを主体に構成されており、例えば第二居室１６の内壁面に設けられている。
【００５１】
コントローラ６０の入力側には、居室温センサ５７、屋外温センサ５８及び風量センサ５９が接続されている。コントローラ６０には、これら各センサ５７〜５９から逐次検知結果が入力される。
【００５２】
コントローラ６０の出力側には、給水ポンプ５１及び開閉バルブ５５が接続されている。コントローラ６０は、上記各センサ５７〜５９からの検知結果に基づいて、給水ポンプ５１及び開閉バルブ５５に指令信号を出力する。
【００５３】
次に、コントローラ６０によって実行される噴霧制御処理について図５に基づいて説明する。本処理は、窓部１８が開放されたことをトリガとして開始される。具体的には、ガラス戸１９には、当該ガラス戸１９が開かれたことを検知する開戸検知センサが設けられ、コントローラ６０がこの開戸検知センサから検知信号を受信したことをもって本処理が開始される。なお、本処理は、所定の周期で繰り返し実行される。
【００５４】
まずステップＳ１１において、風量センサ５９からの検知結果に基づいて、ルーバパネル２２のスラット間隙間４７を通じてバルコニー空間ＢＳ側に向かって流れる風の風量が所定量以上であるか否かを判定する。ここで、所定の風量は、例えばスラット間隙間４７を通じて流れる風が窓部１８を介して第二居室１６内に取り込まれる程度の風量に設定されている。上記風量が所定量以上である場合には、ステップＳ１２に進む。
【００５５】
ステップＳ１２では、居室温センサ５７からの検知結果に基づいて、第二居室１６内の温度が所定温度以上であるか否かを判定する。ここで、所定の温度は、夏場に第二居室１６内にいる居住者が暑さを感じる温度（例えば３２℃）に設定されている。第二居室１６内の温度が所定温度以上である場合には、ステップＳ１３に進む。
【００５６】
ステップＳ１３では、噴霧ノズル５２より噴霧される水の粒径を設定する粒径設定処理を行う。この処理では、屋外温センサ５８からの検知結果に基づいて噴霧ノズル５２より噴霧される水の粒径を算出し、その算出した粒径を設定する。具体的には、屋外の温度が高いほど水の粒径が大きくなるように粒径を算出し設定する。
【００５７】
ステップＳ１４では、噴霧処理を実行する。この噴霧処理では、ステップＳ１３にて設定した水の粒径に応じた駆動信号を給水ポンプ５１に出力するとともに開閉バルブ５５に開放信号を出力する。これにより、駆動信号に応じた供給圧で給水ポンプ５１により各噴霧ノズル５２に水が供給されるため、各噴霧ノズル５２よりバルコニー空間ＢＳ側に設定された粒径の水が噴霧される。したがって、屋外の温度が低い場合には、つまり水が気化しにくい場合には噴霧ノズル５２より小さい粒径の水が噴霧されるため、気化を促進させることができる。この場合、屋外が比較的涼しくても噴霧された水が気化されないまま第二居室１６内に入り込むのを抑制できるため、第二居室１６が濡れる等の不都合を抑制することができる。一方、屋外の温度が高い場合には、つまり水が気化し易い場合には噴霧ノズル５２より大きい粒径の水が噴霧されるため、気化を抑制することができる。この場合、屋外が暑くても噴霧された水を窓部１８の近くで気化させることができるため、第二居室１６の冷却効率を高めることができる。なお、このときすでに噴霧処理が実行されている場合には、そのまま噴霧処理を継続する。その後、本処理を終了する。
【００５８】
一方、先のステップＳ１１においてスラット間隙間４７を通じてバルコニー空間ＢＳ側に流れる風の風量が所定量以上でない場合、又は、先のステップＳ１２において第二居室１６の温度が所定温度以上でない場合には、ステップＳ１５に進む。ステップＳ１５では、給水ポンプ５１への駆動信号の出力を停止するとともに、開閉バルブ５５へ閉鎖信号を出力する。これにより、噴霧ノズル５２への水の供給が停止されるため噴霧ノズル５２からの水の噴霧が停止する。したがって、第二居室１６内が比較的涼しい場合や第二居室１６内へ風が吹き込まない場合には、水の噴霧が行われないようになっている。なお、このときすでに水の噴霧が停止している場合には、その停止状態を継続する。その後、本処理を終了する。
【００５９】
以上、詳述した本実施形態の構成によれば、以下の優れた効果が得られる。
【００６０】
建物１０の外壁部１７から屋外側に離間して設けられたルーバパネル２２に、外壁部１７（窓部１８）側に水を噴霧する噴霧ノズル５２を設けた。この場合、噴霧ノズル５２より水が噴霧されると、噴霧された水がルーバパネル２２と外壁部１７との間で気化され、その気化熱により外気が冷やされる。これにより、外壁部１７周辺で冷却された外気により建物１０の冷却が可能となる。また、外壁部１７から離間して設けられたルーバパネル２２から水を噴霧させる構成であるため、噴霧された水を外壁部１７に到達させる前に気化させることができる。したがって、この場合建物１０に直接水をかけることなく建物１０を冷却することができる。これにより、水を用いて建物１０を冷却する場合において建物１０を濡らすことを抑制することができ、その結果建物１０を濡らすことにより生じる不都合の抑制を図ることができる。
【００６１】
具体的には、水の噴霧によって外壁部１７周辺で冷やされた外気はルーバパネル２２のスラット間隙間４７を通じてバルコニー空間ＢＳ側に流れる風により窓部１８を通じて第二居室１６内に取り込まれる。そのため、その冷気によって第二居室１６内を涼しくすることができる。また、外壁部１７から屋外側に離間して設けられたルーバパネル２２より水が噴霧されるため、噴霧された水が窓部１８を通じて第二居室１６に入り込む前に水を気化させることができる。そのため、噴霧された水により第二居室１６が濡れるといった不都合を抑制することができる。よって以上より、第二居室１６が濡れる等の不都合を抑制しつつ第二居室１６内を涼しくすることができる。
【００６２】
また、噴霧ノズル５２より噴霧した水が気化する際の気化熱を利用して外気を冷やし、その冷えた外気によって第二居室１６を冷却する構成であるため、冷房装置等を用いることなく、つまりは省エネを図りつつ第二居室１６内を涼しくすることができる。
【００６３】
給水ポンプ５１の給水圧を調整することで噴霧ノズル５２より噴霧される水の粒径を調整可能とした。そして、屋外の温度を検知する屋外温センサ５８を設け、同センサ５８により検知された屋外の温度に基づいて噴霧ノズル５２より噴霧される水の粒径を調整することとした。具体的には、屋外の温度が高いほど水の粒径が大きくなるように調整するようにした。したがって、屋外の温度が比較的低く噴霧された水が気化しにくい場合には、水の粒径を小さくすることで気化を促進させたり、屋外の温度が比較的高く噴霧された水が気化し易い場合には、水の粒径を大きくすることで気化を抑制したりすることができる。これにより、水が噴霧されてからその水の気化が完了するまでの時間を屋外の温度にかかわらず一定にすることができるため、噴霧した水が窓部１８を通じて第二居室１６に入り込む直前のタイミングで水の気化を完了させることできる。したがって、屋外の温度にかかわらず第二居室１６内を濡らすことなく同居室１６内の冷却効率を高めることができる。
【００６４】
第二居室１６内の温度を検知する居室温センサ５７を設け、同センサ５７により検知された第二居室１６内の温度が所定温度以上になった場合に、噴霧ノズル５２による水の噴霧が実行されるようにした。これにより、第二居室１６が暑くなった場合に水の噴霧を自動で開始させることができるため、第二居室１６内を冷却するにあたって利便性を高めることができる。
【００６５】
ルーバパネル２２のスラット間隙間４７を通じて外壁部１７側に流れる風の風量を検知する風量センサ５９を設け、同センサ５９により検知された風量が所定以上になった場合に噴霧ノズル５２による水の噴霧を実行するようにした。これにより、窓部１８を通じて第二居室１６内に風を取り込むことが可能な場合に、つまりは水の噴霧により冷やされた外気を窓部１８を通じて第二居室１６内に取り込むことができる場合に水の噴霧が自動で開始されるため、第二居室１６内を冷却するにあたって利便性を高めることができる。
【００６６】
ガラス戸１９が開かれたことを検知する開戸検知センサを設け、コントローラ６０が同センサから検知信号を受信したことをトリガとして噴霧制御処理（図５）を実行するようにした。これにより、窓部１８が閉鎖されている場合に噴霧ノズル５２より水が噴霧されるのを回避できるため、水が無駄に使用されるのを防止できる。
【００６７】
本発明は上記実施形態に限らず、例えば次のように実施されてもよい。
（１）ルーバパネル２２の各スラット４２のスラット角度を調整可能とし、スラット角度を調整することで噴霧ノズル５２より噴霧される水の向きを変更できるようにしてもよい。その具体例を図６に示す。図６に示すルーバパネル７０は、各スラット７１が水平方向に延びる軸線を中心として回転する構成となっており、当該軸線を中心に回転することでスラット角度が変えられるようになっている。ルーバパネル７０には、各スラット７１を回動させるスラット駆動部７２が設けられている。スラット駆動部７２は例えば周知の電動式モータからなる。コントローラ６０は、屋外温センサ５８からの検知結果に基づいてスラット駆動部７２に対し駆動信号を出力し、各スラット７１の角度調整を行う。具体的には、屋外の温度が高い場合には、図６（ａ）に示すように各スラット７１の向きを水平方向に向ける。この場合、噴霧ノズル５２よりバルコニー空間ＢＳ側に向かって水平方向に水が噴霧される。一方、屋外の温度が低い場合には、図６（ｂ）に示すように、各スラット７１の向きを屋外側からバルコニー空間ＢＳ側に向かって上り傾斜となるように調整する。この場合、噴霧ノズル５２よりバルコニー空間ＢＳ側に向かって斜め上方に水が噴霧される。ここで、図６（ａ）の場合と図６（ｂ）の場合とでは、噴霧された水が外壁部１７に到達するまでに飛来する距離が異なる。具体的には、上記飛来距離が図６（ｂ）の場合の方が長くなる。したがって、本例によればスラット７１の向きを変更することで、噴霧された水が外壁部１７に到達するまでの時間を変更することができ、換言すれば外壁部１７を濡らさない前提における気化の所要時間を変更することができる。これにより、例えば図６（ｂ）のようにスラット７１向きを調整することで、上記所要時間を長く設定することができる。そのため、気化冷却の効率を高めるべく水の粒径を大きくしたとしても、噴霧された水が第二居室１６に入って第二居室１６内が濡れるといった不都合を回避することができる。
【００６８】
また、上記構成において、風量センサ５９により検知された風量が所定量以上になり、かつ、第二居室１６の温度が所定温度以上になった場合に（つまりステップＳ１１及びステップＳ１２の双方でＹＥＳ判定された場合に）、各スラット７１を開放させるようスラット駆動部７２を駆動制御するとともに、噴霧処理を実行するようにしてもよい。そうすれば、外部からの視線や太陽光等を遮るために各スラット７１が閉状態（スラット間隙間４７が閉鎖されている状態）となっている場合でも、噴霧処理を行う際には自動で各スラット７１が開かれるため、水の噴霧を行うに際して利便性の向上を図ることができる。
【００６９】
（２）上記（１）の構成において、風量センサ５９により検知された風量に基づいて、各スラット７１のスラット角度を調整するよう制御してもよい。具体的には、風量センサ５９により検知された風量が所定の風量となるように、スラット角度を調整制御することが考えられる。この場合、スラット間隙間７３を通じてバルコニー空間ＢＳ側に吹く風の量を管理することができるため、バルコニー２０周辺に強風が吹いている場合でも噴霧ノズル５２より噴霧された水が第二居室１６内に入り込むのを抑制しつつ、第二居室１６内に冷えた外気を取り込むことができる。
【００７０】
（３）上記（１）の構成において、建物１０に太陽高度（日射角度）を検知する太陽高度センサを設け、太陽高度センサにより検知された太陽高度に応じて各スラット７１のスラット角度を調整するよう制御してもよい。この場合、時間帯に応じて変化する太陽光の角度に追従してスラット角度を調整できるため、太陽光が第二居室１６に射し込むのをスラット７１により遮りながら噴霧ノズル５２による水の噴霧を行うことができる。これにより、水の噴霧による冷却効果を高めることができる。
【００７１】
（４）上記実施形態では、建物１０のバルコニー２０に設けられたルーバパネル２２から水を噴霧する構成としたが、これを変更して、建物１０から離間した位置に建物１０とは別体で設置されたルーバパネルから水を噴霧する構成としてもよい。その一例を図７に示す。
【００７２】
図７に示す建物８０は、一階部分８１と二階部分８２とを有する２階建ての建物であり、一階部分８１には一階居室８４が設けられ、二階部分８２には二階居室８５が設けられている。建物８０には、一階居室８４及び二階居室８５を屋外と区画する外壁部８７が設けられている。外壁部８７には、一階居室８４を屋外と連通する一階窓部８８が設けられているとともに、二階居室８５を屋外と連通する二階窓部８９が設けられている。
【００７３】
建物８０の外壁部８７から離間した位置には、複数のスラット９１を有してなるルーバパネル９０が設けられている。ルーバパネル９０は、外壁部８７に設けられた各窓部８８，８９と対向して設けられており、建物８０の一階部分８１と二階部分８２とに跨る高さを有して形成されている。なお、以下の説明では、ルーバパネル９０と建物８０との間の空間をルーバ内空間ＲＳという。
【００７４】
ルーバパネル９０には、複数の各スラット９１のうち所定のスラット９１に噴霧ノズル５２が設けられている。噴霧ノズル５２は、ルーバパネル９０において一階部分８１に対応する部分と二階部分８２に対応する部分とに設けられている。したがって、本例では、建物８０の一階部分８１及び二階部分８２に向けて噴霧ノズル５２より水を噴霧できるようになっている。この場合、各噴霧ノズル５２により噴霧された水が気化されることで、ルーバ内空間ＲＳとにおける一階部分８１と二階部分８２との双方に対応する部分についてその外気を冷やすことができる。これにより、ルーバパネル９０のスラット間隙間９２を通じて窓部８８，８９側に流れる風によりその冷えた外気を各窓部８８，８９を通じて各居室８４，８５に取り込むことができる。よって、この場合、建物８０の一階居室８４と二階居室８５との双方について温度上昇を効果的に抑制することができる。
【００７５】
（５）上記（４）の構成において、一階部分８１の噴霧処理と二階部分８２の噴霧処理とを個別に制御するようにしてもよい。例えば、各階部８１，８２の噴霧処理をそれぞれ各々の階部８１，８２（又は階部８１，８２に対応する部分）における温度や風量等に基づいて行うことが考えられる。以下、その具体例を図７を参照しつつ説明する。
【００７６】
図７に示すように、建物８０の一階居室８４には、一階居室８４の温度を検知する一階居室温センサ９４が設けられ、二階居室８５には、二階居室８５の温度を検知する二階居室温センサ９５が設けられている。建物８０の外壁部８７の屋外側面には、ルーバ内空間ＲＳの温度を検知するルーバ温センサ９６，９７が設けられている。このうち一階ルーバ温センサ９６は、ルーバ内空間ＲＳにおける一階部分８１の温度を検知するセンサであり、二階ルーバ温センサ９７はルーバ内空間ＲＳにおける二階部分８２の温度を検知するセンサである。また、ルーバパネル９０には、同パネル９０のスラット間隙間９２を通じて建物８０側に流れる風の風量を検知する風量センサ９８，９９が設けられている。一階風量センサ９８は、ルーバパネル９０の各スラット間隙間９２のうち一階部分８１に対応する部位を通じて流れる風の風量を検知するセンサであり、二階風量センサ９９は、二階部分８２に対応する部位を通じて流れる風の風量を検知するセンサである。
【００７７】
一階部分８１に対応して設けられた噴霧ノズル５２（一階噴霧ノズル５２ａ）には一階給水配管１０１が接続されており、二階部分８２に対応して設けられた噴霧ノズル５２（二階噴霧ノズル５２ｂ）には二階給水配管１０２が接続されている。これら各給水配管１０１，１０２はその上流側端部で合流し、水道配管１１０と接続されている。一階給水配管１０１には、同配管１０１を介して一階噴霧ノズル５２ａへ水を供給する一階給水ポンプ１０３と、同配管１０１における水の流通を許可又は禁止する一階開閉バルブ１０４とが設けられている。二階給水配管１０２には、同配管１０２を介して二階噴霧ノズル５２ｂへ水を供給する二階給水ポンプ１０５と、同配管１０２における水の流通を許可又は禁止する二階開閉バルブ１０６とが設けられている。
【００７８】
上記構成において、コントローラ６０は、一階居室温センサ９４により検知された一階居室８４の温度が所定温度以上になり、かつ、一階風量センサ９８により検知された風量が所定以上となった場合に、一階給水ポンプ１０３に駆動信号を出力するとともに一階開閉バルブ１０４に開放信号を出力する。この場合、一階給水ポンプ１０３により一階噴霧ノズル５２ａに一階給水配管１０１を介して水が供給されるため、同ノズル５２ａより建物８０の一階部分８１に向けて水が噴霧される。また、コントローラ６０は、二階居室温センサ９５により検知された二階居室８５の温度が所定温度以上になり、かつ、二階風量センサ９９により検知された風量が所定以上となった場合に、二階給水ポンプ１０５に駆動信号を出力するとともに二階開閉バルブ１０６に開放信号を出力する。この場合、二階給水ポンプ１０５により二階噴霧ノズル５２ｂに二階給水配管１０２を介して水が供給されるため、同ノズル５２ｂより建物８０の二階部分８２に向けて水が噴霧される。これにより、各階部８１，８２における水の噴霧処理が各々の階部８２における温度や風量に応じて個別に制御されるため、例えば二階居室８５だけが暑い場合（つまり一階居室８４は涼しい場合）に一階部分８１に向けて水が噴霧されるのを回避できる等、上記（４）の構成において各居室９４，９５の温度上昇を抑制するに際し利便性を高めることができる。
【００７９】
また、この場合、コントローラ６０が、一階ルーバ温センサ９６により検知されたルーバ内空間ＲＳの一階部分８１の温度に基づいて、一階噴霧ノズル５２ａより噴霧される水の粒径を調整するとともに、二階ルーバ温センサ９７により検知された二階部分８２のルーバ内空間ＲＳの温度に基づいて、二階噴霧ノズル５２ｂより噴霧される水の粒径を調整するようにしてもよい。この場合、各階部８１，８２の噴霧ノズル５２ａ，５２ｂより噴霧される水の粒径をそれぞれ各々の階部８１，８２におけるルーバ内空間ＲＳの温度に応じて個別に調整することができる。したがって、例えば夏場において比較的温度が高くなり易い二階部分８２のルーバ内空間ＲＳに対しては噴霧される水の粒径を大きくすることで、水の気化量を増大させ冷却効果を高める一方、比較的温度が低い一階部分８１のルーバ内空間ＲＳに対しては噴霧される水の粒径を小さくすることで、気化を促進させ一階居室８４に水が気化しないまま入り込むのを抑制したりすることができる。よって、この場合各階部８１，８２におけるルーバ内空間ＲＳの温度に応じて、各階部８１，８２にそれぞれ適切な粒径の水を噴霧することで、各居室８４，８５の温度上昇を好適に抑制することができる。
【００８０】
（６）上記実施形態では、屋外温センサ５８により検知された屋外の温度に基づいて、噴霧ノズル５２より噴霧される水の粒径を調整するようにしたが、これに代えて又は加えて、屋外温センサ５８により検知された屋外の温度に基づいて噴霧ノズル５２より噴霧される水の噴霧量を調整してもよい。例えば、給水配管５３に、同給水配管５３（詳細には主配管５３ａにおける分岐配管５３ｂとの接続部よりも上流側）を流れる水の流量を調整することが可能な調整バルブを設け、その調整バルブにより噴霧ノズル５２に供給する水の流量を調整することで、同ノズル５２より噴霧される水の噴霧量を調整することが考えられる。具体的には、屋外の温度が高いほど水の噴霧量が増大するよう調整バルブを制御するのがよい。そうすれば、屋外の温度が高い場合には水の噴霧量を多くすることができるため、水の気化量を増大させることができる。この場合、気化熱により外気を冷却する効果を高めることができるため、屋外が暑い場合でも第二居室１６内に冷気を取り込むことが可能となる。
【００８１】
（７）上記実施形態では、屋外温センサ５８により検知された屋外の温度に基づいて、噴霧ノズル５２より噴霧される水の粒径を調整するようにしたが、これに加えて、風量センサ５９により検知された風量に基づいて水の粒径を調整するようにしてもよい。具体的には、外壁部１７側に吹く風の風量が大きくなるほど水の粒径を小さくすることが考えられる。
【００８２】
噴霧ノズル５２より噴出された水が外壁部１７（窓部１８）に到達するまでの所要時間はルーバパネル２２のスラット間隙間４７を通じて外壁部１７側に流れる風の風量に依存して変化する。そのため、例えば、風量が大きく上記所要時間が短くなる場合には、噴霧した水が気化しないまま窓部１８から第二居室１６に入り、それによって同居室１６内が濡れるおそれがある。また、風量が小さく上記所要時間が長くなる場合には、噴霧した水が外壁部１７（窓部１８）近くに到達する前に気化が完了し、それによって第二居室１６を効果的に冷却することができないおそれがある。その点、上記の構成によれば、外壁部１７側に吹く風の風量が小さい場合には水の粒径を大きくすることで気化を抑制し気化時間を長くしたり、風量が大きい場合には水の粒径を小さくすることで気化を促進させ気化時間を短くしたりすることができる。これにより、風の風量にかかわらず噴霧した水の気化を第二居室１６に入る直前のタイミングで完了させることが可能となるため、風量にかかわらず第二居室１６内を濡らさずに同居室１６の冷却効率を高めることができる。
【００８３】
なお、風量センサ５９に代えて、風速センサを用い、風速センサにより検知された風の風速に基づいて水の粒径を調整してもよい。
【００８４】
（８）上記実施形態では、風量センサ５９により検知された風量が所定量（以下、第一所定量Ｗ１という）以上となった場合に水の噴霧が実行されるようにしたが、これに代えて又は加えて、風量センサ５９により検知された風量が第一所定量Ｗ１よりも大きい第二所定量Ｗ２以上となった場合に水の噴霧が停止されるようにしてもよい。そうすれば、ルーバパネル２２のスラット間隙間４７を通じて窓部１８側に強い風が吹いた場合には水の噴霧が停止されるため、強風により噴霧された水が気化されないまま第二居室１６に入り込み同居室１６が濡れる等の事態が生ずるのを防止できる。
【００８５】
（９）上記実施形態では、屋外の温度に基づいて噴霧ノズル５２より噴霧される水の粒径を調整する構成としたが、これを変更してもよい。例えば、建物１０に外気の湿度を検知する湿度検知センサを設け、湿度検知センサにより検知された湿度に基づいて噴霧ノズル５２より噴霧される水の粒径を調整する構成としてもよい。具体的には、湿度検知センサにより検知された湿度が高いほど水の粒径を小さくするよう水の粒径を調整することが考えられる。一般に湿度が高い状況下では水が気化しにくいため、噴霧した水の粒径が大きいと水が気化されないまま窓部１８を通じて第二居室１６に入り込むことが想定され、その場合第二居室１６内が濡れるといった不都合が招来するおそれがある。その点、上記のように制御すれば、湿度が高い場合でも噴霧される水の粒子を小さくすることで水を気化し易くすることができるため、上記不都合を回避しつつ第二居室１６に冷気を取り込むことができる。
【００８６】
（１０）上記実施形態では、窓部１８が設けられた外壁部１７に向けて水を噴霧することで、水の気化熱により冷やされた外気を窓部１８を通じて取り込み、これにより第二居室１６内を冷却する構成としたが、水の噴霧によって冷却する対象は必ずしも建物１０内空間である必要はなく建物１０自体であってもよい。例えば、窓部１８が設けられていない外壁部に向けて水を噴霧することで、外壁部周辺の外気を冷やしそれによって外壁部を冷却してもよい。かかる冷却においても、外壁部を濡らすのを抑制することができるため、その結果外壁部を濡らすことにより生じる不都合の抑制を図ることができる。
【００８７】
また、この場合、外壁部１７の温度を検知する外壁温検知センサを設け、同センサにより検知された外壁部１７の温度が所定温度以上になった場合に噴霧ノズル５２による噴霧処理を実行するようにしてもよい。そうすれば、外壁部１７を冷却するにあたって利便性を高めることができる。
【００８８】
（１１）第二居室１６内に人が存在することを検知する人検知センサを設け、人検知センサにより人が検知されていることを条件として、噴霧処理を行うようにしてもよい。そうすれば、第二居室１６内に人が不在である場合には水の噴霧が行われるのを回避することができるため、水が無駄に使用されるのを防止することができる。
【００８９】
また、ガラス戸１９を開閉駆動する開閉駆動部を設け、人検知センサにより第二居室１６内に人が存在することが検知され、かつ、居室温センサ５７により検知された第二居室１６内の温度が所定温度以上となった場合に、窓部１８を開放するよう開閉駆動部を駆動させるとともに噴霧処理を実行するようにしてもよい。そうすれば、第二居室１６内にいる居住者が暑さを感じた場合に自動で窓部１８が開放され水の噴霧が開始されるため、第二居室１６内を冷却するに際して利便性を高めることができる。
【００９０】
また、上記の制御を図７に示した構成に適用してもよい。例えば建物８０の各居室８４,８５にそれぞれ人検知センサを設け、人検知センサによる人の検知があった居室８４,８５に対して上記の制御を実施してもよい。具体的には、一階居室８４の人検知センサにより人が検知され、かつ、一階居室温センサ９４により検知された一階居室８４の温度が所定温度以上になった場合に、一階窓部８８に設けられたガラス戸を開放すべく一階開閉駆動部を駆動させるとともに一階噴霧ノズル５２ａによる噴霧処理を実行する。また、二階居室８５の人検知センサにより人が検知され、かつ、二階居室温センサ９５により検知された二階居室８５の温度が所定温度以上になった場合に、二階窓部８９に設けられたガラス戸を開放すべく二階開閉駆動部を駆動させるとともに二階噴霧ノズル５２ｂによる噴霧処理を実行する。そうすれば、居住者がいる居室８４,８５が暑くなった場合に、その居室８４,８５に設けられた窓部８８,８９が自動で開放されるとともに水の噴霧が自動で開始されるため、建物８０の各居室８４,８５を冷却するに際して利便性を高めることができる。
【００９１】
（１２）建物１０に、居住者により操作される操作部を設け、操作部の操作に基づいて噴霧処理を実行するようにしてもよい。そうすれば、居住者の必要に応じて水の噴霧を行うことができるため、例えばバルコニー２０に置かれた植木鉢に必要な時に水やりを行う等することができる。
【００９２】
（１３）所定の日時になった場合に、噴霧処理を実行するようにしてもよい。例えば、日時情報を取得する日時情報取得手段（タイマ等）を設け、同取得手段により取得した日時情報が所定日時の情報である場合に噴霧処理を行うことが考えられる。この場合、例えば夏場において気温が上昇する昼間の時間帯に水の噴霧を自動で行ったり、居住者が外出する時間帯に水の噴霧を自動で停止したりすることができる。これにより、水の噴霧を行うに際して利便性を高めることができる。
【００９３】
また、上記（１０）における操作部に、制御モードを通常モード（上記実施形態の制御）とタイマモードとに切り替えるための切替スイッチを設け、同切替スイッチにより制御モードがタイマモードに切り替えられた場合にかかる噴霧制御を行うようにしてもよい。さらに、この場合、制御モードとして、噴霧処理が停止される休止モードを設けてもよい。そうすれば、居住者の不在時に水の噴霧が自動で行われるのを回避できるため、水が無駄に使われるのを防止できる。
【００９４】
（１４）上記実施形態では、空間仕切体としてのルーバパネル２２に噴霧ノズル５２を設け、同ルーバパネル２２から水を噴霧する構成としたが、ルーバパネル２２以外の空間仕切体に噴霧ノズル５２を設けてもよい。例えば格子状の柵等に噴霧ノズル５２を設けてもよい。ここで、格子状の柵は、縦桟と横桟とから構成されているものでもよいし、縦桟のみ又は横桟のみから構成されているものでもよい。また、板金等の板状部材に多数の貫通孔（例えばパンチング孔）を設けたものに噴霧ノズル５２を設置してもよい。
【００９５】
また、上記実施形態では、建物１０のバルコニー２０に設けられたルーバパネル２２に噴霧ノズル５２を設けたが、これを変更し、ベランダやテラス等に設けられ外壁部から離間した位置に配置された空間仕切体に噴霧ノズル５２を設けてもよい。さらには、建物１０から離れた位置に設置されたフェンス等に噴霧ノズル５２を設け、同噴霧ノズル５２により建物１０外から水を噴霧するようにしてもよい。
【００９６】
（１５）例えば、図７の構成において、一階噴霧ノズル５２ａより建物８０の外壁部８７とは反対側に向けて水を噴霧するようにしてもよい。そうすれば、ルーバパネル９０の外側（建物８０側とは反対側）に隣接して設けられた庭等でバーベキューをしたりする際に快適に過ごすことができる。また、屋外の温度を検知する屋外温検知センサを設け、同センサにより検知された屋外の温度が所定温度以上になった場合に、一階噴霧ノズル５２ａにより外壁部８７とは反対側に向けて水の噴霧を行うようにしてもよい。そうすれば、庭等が暑くなった場合に自動で水の噴霧が開始されるため、庭等を快適な空間とするに際して利便性を高めることができる。
【００９７】
（１６）屋上を有する建物の場合、屋上に設けられた柵に噴霧ノズル５２を設けてもよい。そうすれば、噴霧ノズル５２より水を噴霧することで屋上空間を冷やすことができるため、夏場に屋上でくつろいだり運動したりする際に快適に過ごすことができる。
【００９８】
また、この場合、噴霧ノズル５２より湯を噴霧できるようにしてもよい。例えば、給水配管５３の途中に水を加熱するボイラを設け、ボイラにより加熱された水（つまり湯）を噴霧ノズル５２に供給することが考えられる。そうすれば、湯を噴霧することで屋上空間を暖かくすることができるため、冬場に屋上でくつろいだりする際に快適に過ごすことができる。
【００９９】
さらに、噴霧ノズル５２による水（冷水）の噴霧と湯の噴霧とを季節に応じて切り替えられるようにしてもよい。例えば、日時を計時する計時手段と、計時手段により計時された日時に基づいて季節を判断する季節判断手段とを備え、季節判断手段により夏季であると判断された場合には水を噴霧し、冬季であると判断された場合にはボイラを運転させて湯を噴霧することが考えられる。この場合、水と湯との切り替えが季節に応じて自動で行われるため利便性を図ることができる。
【０１００】
（１７）上記実施形態では、噴霧ノズル５２をルーバパネル２２のスラット４２に設けたが、これを変更してルーバパネル２２の支柱４１に設けてもよい。例えば、支柱４１に噴霧ノズル５２を上下に所定間隔で複数設けるとともに、それら各噴霧ノズル５２が接続される給水配管を支柱４１に沿って延びるように設けることが考えられる。また、ルーバパネル２２の手摺４３に噴霧ノズル５２を設けてもよい。
【０１０１】
（１８）上記実施形態では、噴霧ノズル５２から噴霧する水として水道水を用いたが、必ずしも水道水を用いる必要はない。例えば屋根１２上等に雨水を蓄えるタンクを設置しておき、タンクに蓄えられた雨水を給水ポンプ５１により噴霧ノズル５２に供給する構成としてもよい。この場合、水道水を節約することができるため経済的である。
【０１０２】
（１９）上記実施形態では、噴霧ノズル５２として一流体ノズルを採用したが、これを変更して二流体ノズルを採用してもよい。この場合、各噴霧ノズルには、給水配管５３の他にエア供給配管を接続するとともに、エア供給配管には同配管を介して各噴霧ノズルに圧縮空気を供給するためのコンプレッサを設ける必要がある。かかる構成において、各噴霧ノズルには給水ポンプ５１により水が供給されるとともに、コンプレッサにより圧縮空気が供給される。そして、噴霧ノズルに供給された水と圧縮空気とが噴霧ノズル内において混合されて霧状の水が生成し同ノズルより噴霧される。よって、二流体ノズルを用いた場合でも、霧状の水を噴霧させることができる。また、霧状の水を噴霧させるために必ずしも噴霧ノズルを用いる必要はなく、噴霧ノズル以外のものを用いてもよい。例えば、微細な孔が多数形成された多孔質板を用い、同多孔質板の各孔から水を噴霧させるようにしてもよい。要は、霧状の水を噴霧することができれば如何なる構成でもよい。
【符号の説明】
【０１０３】
１０…建物、１６…屋内空間としての第二居室、１７…外壁部、１８…建物開口部としての窓部、１９…開閉部材としてのガラス戸、２０…バルコニー、２２…空間仕切体としてのルーバパネル、４２…スラット、４７…通気開口部としてのスラット間隙間、５１…粒径調整手段としての給水ポンプ、５２…噴霧手段としての噴霧ノズル、５７…屋内温検知手段としての居室温センサ、５８…屋外温検知手段としての屋外温センサ、５９…風量検知手段としての風量センサ、６０…噴霧制御手段及び粒径制御手段としてのコントローラ。
【図１】
2011127295.tif 000003
【図２】
2011127295.tif 000004
【図３】
2011127295.tif 000005
【図４】
2011127295.tif 000006
【図５】
2011127295.tif 000007
【図６】
2011127295.tif 000008
【図７】
2011127295.tif 000009